(57)【要約】本開示のある特定の態様は、集積インピーダンス整合およびフィルタリング回路を提供する。１つの例示的な回路は、一般的には、第１のインダクタを有するインピーダンス整合回路および共振周波数を有する共振回路を含み、第１のインダクタに磁気的に結合された第２のインダクタを備える。共振回路は、インピーダンス整合回路から共振周波数を除去するように構成される。ある特定の態様において、共振回路は、キャパシタをさらに含み得る。第２のインダクタは、ギャップを有する金属のリングを含み、キャパシタは、ギャップを囲むリングの端部間の誘電性材料を備え得る。他の態様では、キャパシタは、固定または変数値を有する、集積回路素子であり得る。
2018509798.tif 000002
【特許請求の範囲】
【請求項１】
集積インピーダンス整合およびフィルタリング回路であって、
第１のインダクタを備えるインピーダンス整合回路と、
前記インピーダンス整合回路から第１の共振回路の第１の共振周波数の少なくとも一部分を除去するように構成された前記第１の共振回路と、ここにおいて、前記第１の共振回路は、前記第１のインダクタに磁気的に結合された第２のインダクタを備える、
を備える、回路。
【請求項２】
前記第１の共振回路は、キャパシタをさらに備え、共振インダクタキャパシタ（ＬＣ）タンク回路である、請求項１に記載の回路。
【請求項３】
前記第２のインダクタは、金属のオープンリングを備え、前記キャパシタは、金属の前記オープンリングの端部間に配置された誘電性材料を備える、請求項２に記載の回路。
【請求項４】
前記第１のインダクタは、前記第２のインダクタの金属の前記オープンリングを囲む金属の１つ以上のリングを備える、請求項３に記載の回路。
【請求項５】
前記第２のインダクタの金属の前記オープンリングは、前記第１のインダクタの金属の前記リングのうちの１つに電気的に短絡している、請求項４に記載の回路。
【請求項６】
前記第１の共振回路は、前記第２のインダクタの金属の前記オープンリング内に介在するスイッチをさらに備える、請求項３に記載の回路。
【請求項７】
前記第１のインダクタにおける信号の振幅が前記スイッチの開閉を制御するように構成されるように、前記スイッチのための制御ラインは、前記第１のインダクタに接続される、請求項６に記載の回路。
【請求項８】
前記インピーダンス整合回路から第２の共振回路の第２の共振周波数の少なくとも一部分を除去するように構成された前記第２の共振回路をさらに備え、前記第２の共振回路は、前記第１のインダクタに結合された第３のインダクタを備える、請求項１に記載の回路。
【請求項９】
前記第１の共振周波数は、前記第２の共振周波数に等しい、請求項８に記載の回路。
【請求項１０】
前記第２の共振回路は、キャパシタをさらに備え、前記第３のインダクタは、金属のオープンリングを備え、前記キャパシタは、前記第３のインダクタの金属の前記オープンリングの端部間に配置された誘電性材料を備える、請求項８に記載の回路。
【請求項１１】
前記第３のインダクタの金属の前記オープンリングは、前記第２のインダクタの金属のオープンリングに隣接して配置される、請求項１０に記載の回路。
【請求項１２】
前記第３のインダクタの金属の前記オープンリングは、前記第２のインダクタの金属のオープンリング内に配置される、請求項１０に記載の回路。
【請求項１３】
前記第１のインダクタは、前記第２のインダクタの金属のオープンリングまたは前記第３のインダクタの金属の前記オープンリングのうちの少なくとも１つを囲む金属の１つ以上のリングを備える、請求項１０に記載の回路。
【請求項１４】
前記第１の共振回路は、電気的に浮遊状態になっており、導電性材料を用いて別の回路への接続を欠くように構成される、請求項１に記載の回路。
【請求項１５】
前記第１のインダクタのループは、実質的に、前記第２のインダクタのループによって囲まれる、または前記第２のインダクタのループを囲み、前記第１のインダクタの前記ループを形成するトレースは、前記第２のインダクタの前記ループを形成するトレースに隣接して位置する、請求項１に記載の回路。
【請求項１６】
前記第１の共振周波数は、前記インピーダンス整合回路に結合された増幅器からの出力信号の高調波周波数を備える、請求項１に記載の回路。
【請求項１７】
前記高調波周波数は、前記出力信号の第２の高調波または第３の高調波を備える、請求項１６に記載の回路。
【請求項１８】
前記第１の共振周波数は、全地球測位システム（ＧＰＳ）周波数を備える、請求項１に記載の回路。
【請求項１９】
前記第１の共振周波数は、前記インピーダンス整合回路に結合された増幅器からの出力信号の高調波周波数に、または高調波周波数の近くにあり、前記増幅器の効率を高めるように構成される、請求項１に記載の回路。
【請求項２０】
前記インピーダンス整合回路は、一次巻線および前記一次巻線に磁気的に結合された二次巻線を有する変圧器を備え、前記第１のインダクタは、前記一次巻線または前記二次巻線である、請求項１に記載の回路。
【請求項２１】
前記第１の共振回路は、キャパシタをさらに備え、前記第２のインダクタは、金属のオープンリングを備え、前記キャパシタは、金属の前記オープンリングの端部間に配置された誘電性材料を備える、請求項２０に記載の回路。
【請求項２２】
前記第２のインダクタに接続された１つ以上のトレースは、前記一次および二次巻線を形成するトレース間に配置される、請求項２１に記載の回路。
【請求項２３】
前記インピーダンス整合回路は、差動信号ペアの第１のブランチにおける前記第１のインダクタを有する、および前記差動信号ペアの第２のブランチにおける第３のインダクタを有する差動インピーダンス整合回路を備える、請求項１に記載の回路。
【請求項２４】
前記第１の共振周波数を有し、前記第３のインダクタに結合された第４のインダクタを備える第２の共振回路をさらに備え、前記第２の共振回路は、前記差動信号ペアの前記第２のブランチから前記第１の共振周波数のうちの少なくとも一部分を除去するように構成される、請求項２３に記載の回路。
【請求項２５】
フィルタリングする方法であって、
増幅器を介して信号を増幅させることと、
共振周波数を有する共振回路を介してインピーダンス整合回路から前記共振周波数のうちの少なくとも一部分を少なくとも除去することで前記増幅された信号をフィルタリングすることと、ここにおいて、前記共振回路は、前記増幅器のための前記インピーダンス整合回路に磁気的に結合される、
を備える、方法。
【請求項２６】
前記インピーダンス整合回路は、第１のインダクタを備え、
前記共振回路は、前記第１のインダクタに磁気的に結合された第２のインダクタおよびキャパシタを備え、
前記第２のインダクタは、金属のオープンリングを備え、
前記キャパシタは、金属の前記オープンリングの端部間に配置された誘電性材料を備え、
前記共振周波数は、前記増幅された信号の高調波周波数である、請求項２５に記載の方法。
【請求項２７】
前記第１のインダクタにおける信号の振幅に基づいて前記共振回路を介して前記増幅された信号の前記フィルタリングの非アクティブ化を制御することをさらに備える、請求項２６に記載の方法。
【請求項２８】
前記増幅された信号をフィルタリングすることは、前記共振回路を介して前記共振周波数において前記増幅された信号からエネルギーを抽出することを備える、請求項２５に記載の方法。
【請求項２９】
ワイヤレス通信のための装置であって、
信号を増幅させるための手段と、
増幅させるための前記手段の出力インピーダンスをインピーダンス整合するための手段と、
共振周波数においてインピーダンス整合するための前記手段から前記増幅された信号のうちの少なくとも一部分を除去するための手段とを備え、ここにおいて、フィルタリングするための前記手段は、
インピーダンス整合するための前記手段に磁気的に結合され、
前記共振周波数を有する、装置。
【請求項３０】
制御するための前記手段において受信された信号に基づいて前記増幅された信号をフィルタリングするための前記手段の非アクティブ化を制御するための手段をさらに備える、請求項２９に記載の装置。
【発明の詳細な説明】
【関連出願の相互参照】
【０００１】
[0001]  本特許出願は、２０１５年１月２１日に出願された、本願の譲受人に譲渡され、ここでの引用によりここに明確に組み込まれている、米国出願第１４／６０１，８４４号の優先権を主張する。
【技術分野】
【０００２】
[0002]  本開示のある特定の態様は、一般的には、無線周波数（ＲＦ）回路に関し、より具体的には、集積インピーダンス整合およびフィルタリング回路（an integrated impedance matching and filtering circuit）に関する。
【背景技術】
【０００３】
[0003]  ワイヤレス通信ネットワークは、電話、ビデオ、データ、メッセージング、ブロードキャスト、等のような、様々な通信サービスを提供するために広く展開されている。通常は多元接続ネットワークであるそのようなネットワークは、利用可能なネットワークリソースを共有することによって複数のユーザのための通信をサポートする。例えば、１つのネットワークは、３Ｇ（第３世代のモバイル電話標準規格および技術）システムであり、それは、ＥＶＤＯ（エボリューションデータ最適化）、１ｘＲＴＴ（１ｘ無線伝送技術または単に１ｘ）、Ｗ−ＣＤＭＡ（登録商標）（広帯域符号分割多元接続）、ＵＭＴＳ−ＴＤＤ（ユニバーサルモバイルテレコミュニケーションズシステム−時分割複信）、ＨＳＰＡ（高速パケットアクセス）、ＧＰＲＳ（汎用パケット無線サービス）、またはＥＤＧＥ（グローバルエボリューションのためのエンハンスドデータレート）を含む、様々な３Ｇ無線アクセス技術（ＲＡＴ）のうちのいずれか１つを介してネットワークサービスを提供し得る。３Ｇネットワークは、音声呼に加えて、高速インターネットアクセスおよびビデオ電話を組み込むように進化した広域セルラ電話ネットワークである。さらに、３Ｇネットワークは、より確立されたものであり、他のネットワークシステムよりも大きいカバレッジエリアを提供し得る。そのような多元接続ネットワークは、また、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＤＭＡ）ネットワーク、第３世代パートナーシッププロジェクト（３ＧＰＰ（登録商標））ロングタームエボリューション（ＬＴＥ（登録商標））ネットワーク、およびロングタームエボリューションアドバンスド（ＬＴＥ−Ａ）ネットワークを含み得る。
【０００４】
[0004]  ワイヤレス通信ネットワークは、多くのモバイル局のための通信をサポートすることができる多くの基地局を含み得る。モバイル局（ＭＳ）は、ダウンリンクおよびアップリンクを介して基地局（ＢＳ）と通信し得る。ダウンリンク（または、順方向リンク）は、基地局からモバイル局への通信リンクを指し、アップリンク（または、逆方向リンク）は、モバイル局から基地局への通信リンクを指す。基地局は、ダウンリンク上でモバイル局にデータおよび制御情報を送信し得る、および／または、アップリンク上でモバイル局からデータおよび制御情報を受信し得る。
【発明の概要】
【０００５】
[0005]  本開示のある特定の態様は、一般的には、集積インピーダンス整合およびフィルタリング回路に関する。そのような回路は、例えば、１つ以上の高調波および／またはＰＡの出力信号からの他の望ましくない周波数を減衰させるために、ワイヤレス送信機のための無線周波数集積回路（ＲＦＩＣ）における電力増幅器（ＰＡ）と共に使用され得る。
【０００６】
[0006]  本開示のある特定の態様は、集積インピーダンス整合およびフィルタリング回路を提供する。この回路は、一般的には、第１のインダクタを備えるインピーダンス整合回路を含む。集積インピーダンス整合およびフィルタリング回路はまた、インピーダンス整合回路から第１の共振回路の第１の共振周波数のうちの少なくとも一部分を除去する（filter out）ように構成された第１の共振回路を含む。第１の共振回路は、第１のインダクタに磁気的に結合された第２のインダクタを含む。
【０００７】
[0007]  ある特定の態様によると、第１の共振回路は、キャパシタをさらに含み、共振インダクタキャパシタ（ＬＣ）タンク回路である。ある特定の態様において、第２のインダクタは、金属のオープンリング（an open ring of metal）を含み、キャパシタは、金属のオープンリングの端部間に配置された誘電性材料を含む。このケースでは、第１のインダクタは、第２のインダクタの金属のオープンリングを囲む（surround）金属の１つ以上のリングを含み得る。ある特定の態様において、第２のインダクタの金属のオープンリングは、第１のインダクタの金属のリングのうちの１つに電気的に短絡している（electrically shorted）。ある特定の態様において、第１の共振回路は、第２のインダクタの金属のオープンリング内に介在する（interposed）スイッチをさらに含む。このケースでは、スイッチのための制御ラインは、第１のインダクタにおける信号の振幅がスイッチの開閉を制御するように構成されるように、第１のインダクタに接続される。あるいは、スイッチのための制御ラインは、集積インピーダンス整合およびフィルタリング回路の外部にあるエンティティ（例えば、プロセッサ）に接続され得る。
【０００８】
[0008]  ある特定の態様によると、集積インピーダンス整合およびフィルタリング回路は、インピーダンス整合回路から第２の共振回路の第２の共振周波数の少なくとも一部分を除去するように構成された第２の共振回路をさらに含み、ここにおいて、第２の共振回路は、第１のインダクタに結合された第３のインダクタを備える。ある特定の態様では、第１の共振周波数は第２の共振周波数に等しいが、他の態様では、第１の共振周波数は第２の周波数とは異なる。ある特定の態様において、第２の共振回路は、キャパシタをさらに含み、第３のインダクタは、金属のオープンリングを備え、キャパシタは、第３のインダクタの金属のオープンリングの端部間に配置された誘電性材料を含む。第３のインダクタの金属のオープンリングは、第２のインダクタの金属のオープンリングに隣接して配置され得る。あるいは、第３のインダクタの金属のオープンリングは、第２のインダクタの金属のオープンリング内に配置され得る。ある特定の態様において、第１のインダクタは、第２のインダクタの金属のオープンリングまたは第３のインダクタの金属のオープンリングのうちの少なくとも１つを囲む金属の１つ以上のリングを含む。
【０００９】
[0009]  ある特定の態様によると、第１の共振回路は、電気的に浮遊状態になっており、導電性材料（an electrically conductive material）を用いて別の回路への接続を欠くように構成される。このケースでは、第１のインダクタは、第２のインダクタに接続されていない。
【００１０】
[0010]  ある特定の態様によると、第１のインダクタは、第２のインダクタに電気的に短絡している。
【００１１】
[0011]  ある特定の態様によると、第１のインダクタのループは、第２のインダクタのループによって実質的に囲まれている。別の態様では、第１のインダクタのループは、第２のインダクタのループを実質的に囲む（例えば、第２のインダクタのループは、第１のインダクタのループ内に配置される）。いずれにしても、第１のインダクタのループを形成するトレース（trace）は、第２のインダクタのループを形成するトレースに隣接して位置する。
【００１２】
[0012]  ある特定の態様によると、第１の共振周波数は、インピーダンス整合回路に結合された増幅器からの出力信号の高調波周波数である。高調波周波数は、出力信号の第２の高調波、第３の高調波、または別の高調波であり得る。
【００１３】
[0013]  ある特定の態様によると、第１の共振周波数は、インピーダンス整合回路における望ましくない周波数となるように設計される。例えば、望ましくない周波数は、全地球測位システム（ＧＰＳ）周波数であり得る。
【００１４】
[0014]  ある特定の態様によると、第１の共振周波数は、インピーダンス整合回路に結合された増幅器の効率を高めるように構成される。このケースでは、第１の共振周波数は、増幅器からの出力信号の高調波周波数に、または高調波周波数の近くにあり得る。
【００１５】
[0015]  ある特定の態様によると、インピーダンス整合回路は、一次巻線（winding）および一次巻線に磁気的に結合された二次巻線を有する変圧器を含む。第１のインダクタは、一次巻線または二次巻線であり得る。このケースでは、第１の共振回路は、キャパシタをさらに含み、第２のインダクタは、金属のオープンリングを備え、キャパシタは、金属のオープンリングの端部間に配置された誘電性材料を備え得る。ある特定の態様において、第１のインダクタは、第２のインダクタの金属のオープンリングを囲む金属の１つ以上のリングを含み得る。このケースでは、第２のインダクタに接続された１つ以上のトレースは、一次および二次巻線を形成するトレース間に配置され得る。
【００１６】
[0016]  ある特定の態様によると、インピーダンス整合回路は、差動信号ペアの第１の分岐（branch）における第１のインダクタを有する、および差動信号ペアの第２の分岐における第３のインダクタを有する、差動インピーダンス整合回路である。このケースでは、集積インピーダンス整合およびフィルタリング回路は、第１の共振周波数を有し、第３のインダクタに結合された第４のインダクタを備える第２の共振周波数回路をさらに備え、ここにおいて、第２の共振回路は、差動信号ペアの第２の分岐から第１の共振周波数のうちの少なくとも一部分を除去するように構成される。
【００１７】
[0017]  本開示のある特定の態様は、無線周波数集積回路（ＲＦＩＣ）を提供する。ＲＦＩＣは、一般的には、電力増幅器、電力増幅器に結合されたインピーダンス整合回路、および共振周波数を有する共振回路を含む。インピーダンス整合回路は、通常、第１のインダクタを含み、電力増幅器の出力インピーダンスを整合するように構成される。共振回路は、通常、第１のインダクタに磁気的に結合された第２のインダクタを含み、インピーダンス整合回路から共振周波数のうちの少なくとも一部分を除去するように構成される。共振周波数は、電力増幅器からの出力信号の高調波周波数であり得る。
【００１８】
[0018]  本開示のある特定の態様は、フィルタリングする方法を提供する。方法は、一般的には、増幅器を介して信号を増幅させることと、共振周波数を有する共振回路を介してインピーダンス整合回路から共振周波数のうちの少なくとも一部分を少なくとも除去することで増幅された信号をフィルタリングすることを含む。共振回路は、増幅器のためのインピーダンス整合回路に磁気的に結合される。
【００１９】
[0019]  本開示のある特定の態様は、ワイヤレス通信のための装置を提供する。装置は、一般的には、信号を増幅させるための手段と、増幅させるための手段の出力インピーダンスをインピーダンス整合するための手段と、共振周波数においてインピーダンス整合するための手段から増幅された信号のうちの少なくとも一部分を除去するための手段を含む。フィルタリングするための手段は、共振周波数を有し、インピーダンス整合するための手段に磁気的に結合される。
【図面の簡単な説明】
【００２０】
[0020]  本開示の上記特徴を詳細に理解されることができるように、上で簡潔に要約されたより具体的な説明が、態様を参照して行われることができ、そのいくつかは添付の図面に例示されている。しかしながら、添付の図面は、本開示のある特定の典型的な態様のみを例示しており、それゆえ、その範囲を限定するものと考えられるべきではなく、説明のために、他の同等に効果的な態様にも認められ得るものであることに留意されたい。
【図１】[0021]  図１は、本開示のある特定の態様に従った、例示的なワイヤレス通信ネットワークの図である。
【図２】[0022]  図２は、本開示のある特定の態様に従った、例示的なアクセスポイント（ＡＰ）およびユーザ端末のブロック図である。
【図３】[0023]  図３は、本開示のある特定の態様に従った、例示的なトランシーバフロントエンドのブロック図である。
【図４Ａ】[0024]  図４Ａおよび図４Ｂは、本開示のある特定の態様に従った、共振回路に結合され得る、インピーダンス整合回路に接続された電力増幅器の例示的な概略図である。
【図４Ｂ】図４Ａおよび図４Ｂは、本開示のある特定の態様に従った、共振回路に結合され得る、インピーダンス整合回路に接続された電力増幅器の例示的な概略図である。
【図５】[0025]  図５は、本開示のある特定の態様に従った、図４Ｂのインピーダンス整合および共振回路の例示的なレイアウト構成である。
【図６】[0026]  図６は、本開示のある特定の態様に従った、図５のレイアウト構成のための対数の電力対周波数（logarithmic power versus frequency）の例示的なグラフである。
【図７】[0027]  図７は、本開示のある特定の態様に従った、変圧器の二次巻線に結合された共振回路の例示的なレイアウト構成である。
【図８】[0028]  図８は、本開示のある特定の態様に従った、図７に示されるレイアウト構成のための対数の電力対周波数の例示的なグラフである。
【図９】[0029]  図９は、本開示のある特定の態様に従った、図７の変圧器の一次巻線および二次巻線を形成するトレース間に配置されたトレースを有する共振回路の例示的なレイアウト構成である。
【図１０】[0030]  図１０は、本開示のある特定の態様に従った、図９に示されるレイアウト構成のための対数の電力対周波数の例示的なグラフである。
【図１１】[0031]  図１１は、本開示のある特定の態様に従った、インピーダンス整合回路のインダクタに接続されたインダクタ有する共振回路の例示的なレイアウト構成である。
【図１２Ａ】[0032]  図１２Ａは、本開示のある特定の態様に従った、第２の共振回路を形成するトレース内に配置された第１の共振回路の例示的なレイアウト構成である。
【図１２Ｂ】[0033]  図１２Ｂは、本開示のある特定の態様に従った、インピーダンス整合回路のインダクタを形成するトレース内に、および互いに隣接して配置された２つの共振回路の例示的なレイアウト構成である。
【図１３】[0034]  図１３は、本開示のある特定の態様に従った、プロセッサによって制御されたスイッチを有する共振回路のインダクタを形成するトレースの例示的なレイアウト構成である。
【図１４】[0035]  図１４は、本開示のある特定の態様に従った、インピーダンス整合回路のインダクタに接続されたスイッチを有する共振回路のインダクタを形成するトレースの例示的なレイアウト構成である。
【図１５】[0036]  図１５は、本開示のある特定の態様に従って、集積インピーダンス整合およびフィルタリング回路を使用してフィルタリングするための例示的な動作のフロー図である。
【発明の詳細な説明】
【００２１】
[0037]  本開示の様々な態様が以下に説明される。本明細書の教示が幅広い形態で具現化され得ること、および、本明細書に開示されている任意の特定の構造、機能、またはその両方が、代表的なものにすぎないことが理解されるべきである。本明細書での教示に基づいて、当業者は、本明細書に開示された態様が、他の任意の態様とは独立して実現され得ること、および、これらの態様のうちの２つ以上が、様々な方法で組み合わされ得ることを理解すべきである。例えば、本明細書に説明される任意の数の態様を使用して、装置が実現され得る、または方法が実施され得る。さらに、他の構造および機能、または、本明細書に説明される態様のうちの１つ以上以外の、または、それらに追加された構造および機能を使用して、そのような装置が実現されることができ、またはそのような方法が実現されることができる。さらに、ある態様は、ある請求項の少なくとも１つ要素を備えることができる。
【００２２】
[0038]  「例示的（exemplary）」という用語は、本明細書では、「例、実例、または例示を提供する」という意味で使用される。「例示的な」ものとして、本明細書に説明された任意の態様は、他の態様に対して好ましいまたは有利なものとして必ずしも解釈されるべきではない。
【００２３】
[0039]  本明細書に説明される技法は、符号分割多元接続（ＣＤＭＡ）、直交周波数分割多重（ＯＦＤＭ）、時分割多元接続（ＴＤＭＡ）、空間分割多元接続（ＳＤＭＡ）、単一キャリア周波数分割多元接続（ＳＣ−ＦＤＭＡ）、時分割同期符号分割多元接続（ＴＤ−ＳＣＤＭＡ）、等のような様々なワイヤレス技術との組み合わせで使用され得る。複数のユーザ端末は、異なる（１）ＣＤＭＡのための直交符号チャネル、（２）ＴＤＭＡのための時間スロット、または（３）ＯＦＤＭのためのサブ帯域、を介してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、または他のいくつかの標準規格を実現し得る。ＯＦＤＭシステムは、米国電気電子学会（ＩＥＥＥ）８０２．１１、ＩＥＥＥ８０２．１６、（例えば、ＴＤＤおよび／またはＦＤＤモードにおける）ロングタームエボリューション（ＬＴＥ）、または他のいくつかの標準規格を実現し得る。ＴＤＭＡシステムは、モバイル通信のためのグローバルシステム（ＧＳＭ（登録商標））、または他のいくつかの標準規格を実現し得る。これらの様々な標準規格は、当該技術分野において既知のものである。
例示的なワイヤレスシステム
[0040]  図１は、アクセスポイントおよびユーザ端末を有するワイヤレス通信システム１００を例示する。簡潔にするために、図１には１つのアクセスポイント１１０のみが示されている。アクセスポイント（ＡＰ）は、概して、ユーザ端末と通信する固定局であり、基地局（ＢＳ）、発展型ノードＢ（ｅＮＢ）、または何らかの他の専門用語でも称され得る。ユーザ端末（ＵＴ）は、固定または可動であることができ、モバイル局（ＭＳ）、アクセス端末、ユーザ機器（ＵＥ）、局（ＳＴＡ）、クライアント、ワイヤレスデバイス、または何らかの他の専門用語でも称され得る。ユーザ端末は、セルラ電話、携帯情報端末（ＰＤＡ）、ハンドヘルドデバイス、ワイヤレスモデム、ラップトップコンピュータ、タブレット、パーソナルコンピュータ、等のような、ワイヤレスデバイスであり得る。
【００２４】
[0041]  アクセスポイント１１０は、ダウンリンクおよびアップリンク上で、任意の所与の瞬間に１つ以上のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントのための調整および制御を提供する。
【００２５】
[0042]  システム１００は、ダウンリンクおよびアップリンク上でのデータ送信のために、複数の送信アンテナおよび複数の受信アンテナを用いる。アクセスポイント１１０は、ダウンリンク送信のための送信ダイバーシティ、および／またはアップリンク伝送のための受信ダイバーシティを達成するためにＮap個のアンテナを装備し得る。Ｎu個の選択されたユーザ端末１２０のセットは、ダウンリンク送信を受信し、アップリンク送信を送信し得る。各選択されたユーザ端末は、アクセスポイントにユーザ固有のデータを送信する、および／またはアクセスポイントからユーザ固有のデータを受信する。一般に、選択された各ユーザ端末は、１つ以上のアンテナ（すなわち、Ｎut≧１）を装備し得る。Ｎu個の選択されたユーザ端末は、同じ数または異なる数のアンテナを有することができる。
【００２６】
[0043]  ワイヤレスシステム１００は、時分割複信（ＴＤＤ）システムまたは周波数分割複信（ＦＤＤ）システムであリ得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。システム１００はまた、送信のために、単一のキャリアまたは複数のキャリアを利用し得る。各ユーザ端末１２０は、（例えば、コストを低く抑えるために）単一のアンテナが、または（例えば、更なるコストがサポートされることができる場合には）複数のアンテナが装備され得る。 
[0044]  図２は、ワイヤレスシステム１００におけるアクセスポイント１１０と２つのユーザ端末１２０ｍおよび１２０ｘとのブロック図を示す。アクセスポイント１１０は、Ｎap個のアンテナ２２４ａ〜２２４ａｐを装備している。ユーザ端末１２０ｍは、Ｎut,m個のアンテナ２５２ｍａ〜２５２ｍｕを装備しており、ユーザ端末１２０ｘは、Ｎut,x個のアンテナ２５２ｘａ〜２５２ｘｕを装備している。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、周波数チャネルを介してデータを送信することができる独立して動作する装置またはデバイスであり、「受信エンティティ」は、周波数チャネルを介してデータを受信することができる独立して動作する装置またはデバイスである。以下の説明では、下付き文字「ｄｎ」はダウンリンクを示し、下付き文字「ｕｐ」はアップリンクを示し、Ｎｕｐ個のユーザ端末がアップリンク上の同時送信のために選択され、Ｎｄｎ個のユーザ端末がダウンリンク上の同時送信のために選択され、Ｎｕｐは、Ｎｄｎに等しいことも等しくないこともあり、ＮｕｐおよびＮｄｎは、静的な値であり得る、またはスケジューリング間隔ごとに変化し得る。ビームステアリングまたは何らかの他の空間処理技法が、アクセスポイントおよびユーザ端末で使用され得る。
【００２７】
[0045]  アップリンク上では、アップリンク送信のために選択された各ユーザ端末１２０において、ＴＸデータプロセッサ２８８が、データソース２８６からトラヒックデータを、コントローラ２８０から制御データを受信する。ＴＸデータプロセッサ２８８は、ユーザ端末のために選択されたレートに関連付けられたコーディングおよび変調方式に基づいて、ユーザ端末のためのトラフィックデータ｛ｄup｝を処理（例えば、符号化、インターリーブ、および変調）し、Ｎut,m個のアンテナのうちの１つに対してデータシンボルストリーム｛ｓup｝を提供する。トランシーバフロントエンド（ＴＸ／ＲＸ）２５４（無線周波数フロントエンド（ＲＦＦＥ：a radio frequency front end）としても知られている）は、アップリンク信号を生成するためにそれぞれのシンボルストリームを受信および処理（例えば、アナログコンバート、増幅、フィルタリング、および周波数アップコンバート）する。トランシーバフロントエンド２５４は、また、例えば、ＲＦスイッチを介して送信ダイバーシティのためのＮut,m個のアンテナのうちの１つにアップリンク信号をルーティングし得る。コントローラ２８０は、トランシーバフロントエンド２５４内のルーティングを制御し得る。メモリ２８２は、ユーザ端末１２０のためのデータおよびプログラムコードを記憶し、コントローラ２８０とインターフェースし得る。
【００２８】
[0046]  Ｎup個のユーザ端末が、アップリンク上での同時伝送のためにスケジューリングされ得る。これらのユーザ端末の各々が、処理されたシンボルストリームのそれのセットをアップリンク上でアクセスポイントに送信する。
【００２９】
[0047]  アクセスポイント１１０において、Ｎap個のアンテナ２２４ａ〜２２４ａｐは、アップリンク上で送信しているすべてのＮup個のユーザ端末からアップリンク信号を受信する。受信ダイバーシティでは、トランシーバフロントエンド２２２は、アンテナ２２４のうちの１つから受信された信号を処理のために選択し得る。本開示のある特定の態様では、複数のアンテナ２２４から受信された信号の組み合わせは、強化された受信ダイバーシティのために組み合わせられ得る。アクセスポイントのトランシーバフロントエンド２２２はまた、ユーザ端末のトランシーバフロントエンド２５４によって実行された処理に対して相補的な処理を実行し、復元されたアップリンクデータシンボルストリームを提供する。復元されたアップリンクデータシンボルストリームは、ユーザ端末によって送信されたデータシンボルストリーム｛ｓup｝の推定値である。ＲＸデータプロセッサ２４２は、復号されたデータを取得するために、そのストリームに使用されたレートに従って、復元されたアップリンクデータシンボルストリームを処理（例えば、復調、デインターリーブ、および復号）する。各ユーザ端末のための復号されたデータが、記憶のためにデータシンク２４４に、および／または、更なる処理のためにコントローラ２３０に、提供され得る。
【００３０】
[0048]  ダウンリンク上では、アクセスポイント１１０において、ＴＸデータプロセッサ２１０が、ダウンリンク送信のためにスケジュールされたＮｄｎ個のユーザ端末のために、データソース２０８からトラフィックデータを受信し、コントローラ２３０から制御データを受信し、場合によってはスケジューラ２３４から他のデータを受信する。様々なタイプのデータが、異なるトランスポートチャネル上で送られ得る。ＴＸデータプロセッサ２１０は、各ユーザ端末のためのトラヒックデータを、そのユーザ端末のために選択されたレートに基づいて処理（たとえば、符号化、インターリーブ、および変調）する。ＴＸデータプロセッサ２１０は、Ｎdn個のユーザ端末のうちの１つ以上に対してＮap個のアンテナのうちの１つから送信されるべきダウンリンクデータシンボルストリームを提供し得る。トランシーバフロントエンド２２２は、シンボルストリームを受信および処理（例えば、アナログコンバート、増幅、フィルタリング、および周波数アップコンバート）して、ダウンリンク信号を生成する。トランシーバフロントエンド２２２はまた、例えば、ＲＦスイッチを介して送信ダイバーシティのためのＮap個のアンテナ２２４のうちの１つ以上にダウンリンク信号をルーティングし得る。コントローラ２３０は、トランシーバフロントエンド２２２内のルーティングを制御し得る。メモリ２３２は、アクセスポイント１１０のためのデータおよびプログラムコードを記憶し、コントローラ２３０とインターフェースし得る。
【００３１】
[0049]  各ユーザ端末１２０において、Ｎut,m個のアンテナ２５２が、アクセスポイント１１０からダウンリンク信号を受信する。受信ダイバーシティでは、ユーザ端末１２０において、トランシーバフロントエンド２５４は、アンテナ２５２のうちの１つから受信された信号を処理のために選択し得る。本開示のある特定の態様では、複数のアンテナ252から受信された信号の組み合わせは、強化された受信ダイバーシティのために組み合わせられ得る。ユーザ端末のトランシーバフロントエンド２５４はまた、アクセスポイントのトランシーバフロントエンド２２２によって実行された処理に対して相補的な処理を実行し、復元されたダウンリンクデータシンボルストリームを提供する。ＲＸデータプロセッサ２７０は、復元されたダウンリンクデータシンボルストリームを処理（例えば、復調、デインターリーブ、復号）して、ユーザ端末のための復号されたデータを取得する。
【００３２】
[0050]  当業者は、本明細書に説明された技法が、ＴＤＭＡ、ＳＤＭＡ、直交周波数分割多元接続（ＯＦＤＭＡ）、ＣＤＭＡ、ＳＣ−ＦＤＭＡ、ＴＤ−ＳＣＤＭＡ、およびこれらの組み合わせのような、任意のタイプの多元接続方式を利用するシステムにおいて一般に適用され得ることを認識するであろう。
【００３３】
[0051]  図３は、本開示のある特定の態様に従って、図２のトランシーバフロントエンド２２２、２５４のような、例示的なトランシーバフロントエンド３００のブロック図である。トランシーバフロントエンド３００は、１つ以上のアンテナを介して信号を送信するための送信（ＴＸ）経路３０２（送信チェーンとしても知られる）と、アンテナを介して信号を受信するための受信（ＲＸ）経路３０４（受信チェーンとしても知られる）とを含む。ＴＸ経路３０２およびＲＸ経路３０４がアンテナ３０３を共有するとき、経路は、インターフェース３０６を介してアンテナと接続され、それは、デュプレクサ、スイッチ、ダイプレクサ、および同様のもののような、様々な適切なＲＦデバイスのうちのいずれかを含み得る。
【００３４】
[0052]  デジタルアナログコンバータ（ＤＡＣ）３０８から同相（Ｉ：in-phase）または直交（Ｑ：quadrature）ベースバンドアナログ信号を受信するので、ＴＸ経路３０２は、ベースバンドフィルタ（ＢＢＦ）３１０、ミキサ３１２、駆動増幅器（ＤＡ）３１４、および電力増幅器３１６を含み得る。ＢＢＦ３１０、ミキサ３１２、およびＤＡ３１４は、無線周波数集積回路（ＲＦＩＣ）に含まれ得るが、ＰＡ３１６は、しばしばＲＦＩＣの外部にある。ＢＢＦ３１０は、ＤＡＣ３０８から受信されたベースバンド信号をフィルタリングし、ミキサ３１２は、関心のあるベースバンド信号を異なる周波数にコンバート（例えば、ベースバンドからＲＦにアップコンバート）するために、フィルタリングされたベースバンド信号を送信局部発振器（ＬＯ）信号と混合する。ヘテロダインとして知られている、この周波数コンバートプロセスは、ＬＯ周波数と関心のある信号の周波数との和周波数および差周波数を生成する。和周波数および差周波数は、うなり周波数（beat frequencies）と称される。うなり周波数は、ミキサ３１２によって出力された信号が通常ＲＦ信号であるように、通常、ＲＦレンジ内にあり、それは、アンテナ３０３による送信の前にＤＡ３１４によって、およびＰＡ３１６によって増幅される。
【００３５】
[0053]  ＲＦ経路３０４は、低雑音増幅器（ＬＮＡ）３２２、ミキサ３２４、およびベースバンドフィルタ（ＢＢＦ）３２６を含む。ＬＮＡ３２２、ミキサ３２４、およびＢＢＦ３２６は、無線周波数集積回路（ＲＦＩＣ）に含まれ、それは、ＴＸ経路コンポーネントを含む同じＲＦＩＣであることもないこともある。アンテナ３０３を介して受信されたＲＦ信号は、ＬＮＡ３２２によって増幅され、ミキサ３２４は、関心のあるＲＦ信号を異なるベースバンド周波数にコンバート（すなわち、ダウンコンバート）するために、増幅されたＲＦ信号を受信局部発振器（ＬＯ）信号と混合する。ミキサ３２４によって出力されたベースバンド信号は、デジタル信号処理のためにアナログデジタルコンバータ（ＡＤＣ）３２８によってデジタルＩ信号またはＱ信号にコンバートされる前に、ＢＢＦ３２６によってフィルタリングされ得る。
【００３６】
[0054]  ＬＯの出力が周波数において安定した状態を保つことが望ましいが、異なる周波数に同調させることは、可変周波数発振器を使用することを示し、それは、安定性と同調性との間の妥協を伴う。現代のシステムは、特定の同調レンジで安定した同調可能なＬＯを生成するために、電圧制御発振器（ＶＣＯ）を有する周波数シンセサイザを用い得る。よって、送信ＬＯは、ＴＸ周波数シンセサイザ３１８によって通常生成され、それは、ミキサ３１２においてベースバンド信号と混合される前に、増幅器３２０によってバッファまたは増幅され得る。同様に、受信ＬＯは、ＲＸ周波数シンセサイザ３３０によって通常生成され、それは、ミキサ３２４においてＲＦ信号と混合される前に、増幅器３３２によってバッファまたは増幅され得る。
例示的な集積インピーダンス整合およびフィルタリング回路
[0055]  上述したように、ＰＡ３１６は、アンテナ３０３による送信の前にＲＦ信号を増幅させるために使用され得る。アンテナ３０３が増幅されたＲＦ信号によって効果的に駆動されるためには、ＰＡ３１６の出力インピーダンスは、図４Ａに例示されるようなインピーダンス整合回路４１０を使用して整合され得る。インピーダンス整合回路４１０は、キャパシタ４０２の第１の端末と接続されたインダクタ４０４を含み得る。キャパシタ４０２の第２の端末は、基準電位（例えば、示されるように電気接地）と接続され得る。
【００３７】
[0056]  さらに、ＰＡ３１６の出力は、基本周波数において増幅されたＲＦ信号を生成するだけでなく、１つ以上の高調波周波数をも生成し得る。これら高調波は、通常、基本周波数（ｆ）の倍数である周波数において存在する。例えば、これら高調波は、基本周波数の２倍（２ｆ）、基本周波数の３倍（３ｆ）、等に存在し得る。高調波の周波数が増加するにつれて、高調波周波数におけるエネルギーは通常低下する。言い換えれば、第２の高調波周波数における信号のエネルギーは、第３の高調波周波数におけるエネルギーよりも大きい可能性がある。他の周波数（例えば、ＧＰＳ周波数）はまた、ＰＡ３１６によって出力された信号内に結合し得る。
【００３８】
[0057]  様々な理由により、これらの更なる周波数を除去することが通常望ましい。例えば、米国連邦通信委員会（ＦＣＣ）または他のそのようなエンティティは、ワイヤレス送信信号に厳しい規制を課す。よって、図４Ａに例示されていないが、１つ以上のローパスフィルタは、これら高調波周波数を除去するためにＰＡ３１６の出力に結合され得る。しかしながら、ローパスフィルタは、集積回路の多くのエリアを消費し得る。集積回路におけるリアルエステート（real estate）は、デバイスが小さくなればなるほど、およびますます多くの特徴および能力が追加されると、ますますより重要なものとなる。よって、必要とされているのは、エリア消費を低下させると共に、これら高調波周波数および／または他の周波数を除去するための効果的な技法および装置である。
【００３９】
[0058]  本開示のある特定の態様は、図４Ｂに例示されるように集積インピーダンス整合およびフィルタリング回路４１２を提供する。回路４１２は、図４Ａについて上述したように負荷およびソースインピーダンスを整合させるように構成され得るキャパシタ４０２およびインダクタ４０４を含み得る。さらに、回路４１２は、キャパシタ４０８およびインダクタ４０６を有する共振回路４１４（例えば、共振インダクタキャパシタ（ＬＣ）タンク回路）を含み得る。上記の高調波周波数のうちのいずれか、および／または他の望ましくない周波数を整合させる共振周波数において共振回路４１４が動作するように、インダクタ４０６およびキャパシタ４０８の値が、選択され得る、構成され得る、または別の方法で設計され得る。さらに、共振回路４１４のインダクタ４０６は、インピーダンス整合回路４１０のインダクタ４０４のインダクタ４０４と結合（例えば、磁気的に結合）され得る。インダクタ４０４と４０６を結合することによって、共振回路４１４は、共振回路４１４の共振周波数においてインピーダンス整合回路４１０からエネルギーを抽出し得る。別の周波数では、共振回路４１４は、開回路として効果的に動作し、ＰＡ出力信号にほとんどまたは全く影響を及ぼすことはない。よって、共振回路４１４の共振周波数をＰＡ３１６の出力における高調波周波数に整合させることによって、共振回路４１４は、高調波周波数においてエネルギーを抽出し、狭い阻止帯域を有する帯域阻止フィルタ（ノッチフィルタとも称される）として動作し得る。共振回路は、高調波かそれ以外かどうかにかかわらず、ＰＡ３１６出力信号の任意の望ましくない周波数において動作するように構成され得る。ある特定の態様において、望ましくない周波数は、上述のように全地球測位システム（ＧＰＳ）周波数であり得る。
【００４０】
[0059]  ある特定の態様において、共振周波数は、ＰＡ３１６の効率を高めるように設計され得る。このケースでは、共振周波数は、ＰＡ出力信号の高調波周波数（例えば、第２または第３の高調波）に、または高調波周波数の近くにあり得る。
【００４１】
[0060]  ある特定の態様において、ＰＡ３１６は差動ＰＡであり、差動信号ペアの第１の分岐におけるインダクタおよび差動信号ペアの第２の分岐におけるインダクタを有する差動インピーダンス整合回路（図示せず）に結合され得る。第１の共振回路のインダクタは、第１の分岐におけるインダクタに結合され、第２の共振回路のインダクタは、第２の分岐におけるインダクタに結合され得る。
【００４２】
[0061]  図５は、図４Ａのインピーダンス整合およびフィルタリング回路４１２の例示的なレイアウト構成５００を例示する。レイアウト５００は、ＰＡ出力トランジスタ５１２および出力ノード５０４を含み、それは、アンテナ３０３に結合され得る。レイアウト５００は、ＰＡ出力トランジスタ５１２と出力ノード５０４との間に結合されたインダクタ４０４を含む。インダクタ４０４は、金属（例えば、銅、金、または銀）のような導電性材料の１つ以上のリングを使用して形成され得る。共振回路４１４のインダクタ４０６は、インピーダンス整合回路のインダクタ４０４内に配置され得る。よって、インダクタ４０６は、よりよい磁気結合を得るためにインダクタ４０４に近接して位置し得る。さらに、インダクタ４０６をインダクタ４０４の内側に取り付ける（placing）ことによって、共振回路４１４は、集積回路の任意の更なるエリア（すなわち、インダクタ４０４の外部のエリア）を占有しない。別の態様では、共振回路４１４のインダクタ４０６は、インダクタ４０４の外側、上方、または下方に配置され得る。磁気結合を強化するために、インダクタ４０４のループを形成するトレース（例えば、導電性材料（conductive material）のリング）は、インダクタ４０６のループを形成するトレースに隣接して位置し得る。
【００４３】
[0062]  インダクタ４０６のための導電性材料のリングは、ギャップを囲むリングの両端がキャパシタ４０８を形成するように、ギャップを有し得る。キャパシタンスを増加させるために、ギャップは、誘電性材料で充填され得る。キャパシタ４０８は、インダクタ４０６の両端に接続された、固定値または変数値のいずれかである、集積回路素子であり得る。
【００４４】
[0063]  図６は、共振回路４１４を有するおよび有さない図５のレイアウト構成５００に従って回路４１２のための対数の（ｄＢｍの）電力対（ＧＨｚの）周波数の例示的なグラフ６００である。共振回路４１４を有するまたは有さない、９００ＭＨＺの基本周波数における出力ノード５０４における電力は、約−０．６７ｄＢｍである。しかしながら、第３の高調波（２．７ＧＨｚまたは基本周波数の３倍）において、共振回路４１４を有する出力ノード５０４における電力は、共振回路４１４を有さない約−６．３ｄＢｍと比較して約−２４ｄＢｍである。よって、グラフ６００によって例示されるように、インダクタ４０４に結合された共振回路４１４は、共振回路の共振周波数において狭い阻止帯域を有するノッチフィルタを作成する。さらに、共振回路４１４は、ＰＡ出力信号の帯域内パフォーマンスにはほとんど影響がない。
【００４５】
[0064]  ある特定の態様において、電力増幅器３１６は、変圧器の二次巻線に磁気的に結合され得る変圧器の一次巻線に結合され得る。本開示のある特定の態様は、変圧器の一次または二次巻線に結合された同じような図４Ｂの共振回路４１４を提供する。図７は、ＰＡ出力トランジスタ７０２に接続された一次巻線７０８およびインピーダンス整合回路の出力ノード７０６に接続された二次巻線を有する変圧器７０４の例示的なレイアウト構成を例示する。二次巻線７１０は、共振回路のインダクタ４０６と磁気的に結合され得る。インダクタ４０６を形成する導電性材料のループは、上述したように、キャパシタ４０８または集積回路素子であり得るキャパシタとして機能する誘電体（dielectric）で充填されたギャップを備え得る。
【００４６】
[0065]  図８は、共振回路４１４を有するおよび有さない図７における変圧器７０４のレイアウト構成に従って対数の（ｄＢｍの）電力対（ＧＨｚの）周波数の例示的なグラフ８００である。共振回路を有するまたは有さない、９００ＭＨＺの基本周波数における出力ノード７０６における電力は、約−０．６７ｄＢｍである。しかしながら、第２の高調波（１．８ＧＨｚまたは基本周波数２倍）において、共振回路４１４を有する出力ノード７０６における電力は、共振回路４１４を有さない約−３．２ｄＢｍと比較して約−７ｄＢｍである。
【００４７】
[0066]  図９に例示されるようなある特定の態様において、インダクタ４０６は、変圧器７０４の二次巻線７１０のためのトレースと一次巻線７０８のためのトレースとの間に配置されている複数の接続されたトレース９０２を備え得る。変圧器７０４の巻線トレース間にトレース９０２を配置することによって、インダクタ４０６と変圧器７０４の巻線との間により強力な結合が得られる。より強力な結合により、共振回路４１４の共振周波数において変圧器７０４からより多くのエネルギーが抽出され得る。
【００４８】
[0067]  図１０は、共振回路４１４を有するおよび有さない図９における変圧器７０４のレイアウト構成７０４に従って対数の（ｄＢｍの）電力対（ＧＨｚの）周波数の例示的なグラフ１０００である。共振回路４１４を有さない９００ＭＨｚの基本周波数における出力ノード７０６において測定された電力は、共振回路４１４を有する約−０．９３ｄＢｍと比較して約−０．６７ｄＢｍである。第３の高調波（２．７ＧＨｚまたは基本周波数の３倍）において、共振回路４１４を有する出力ノード７０６における電力は、共振回路を有さない約−６．６ｄＢｍと比較して約−１３．５ｄＢｍである。
【００４９】
[0068]  図１１に例示されるようなある特定の態様において、共振回路４１４のインダクタ４０６は、インピーダンス整合回路４１０のインダクタ４０４に、導電性材料１１０２（例えば、金属）に電気的に短絡され得る。インダクタ４０６をインダクタ４０４に接続することは、回路動作にはほとんど影響はないが、レイアウトにおいて接続されていない金属を有することを回避する。
【００５０】
[0069]  本開示のある特定の態様において、複数の共振回路４１４は、インピーダンス整合回路４１０のインダクタ４０４または変圧器７０４の巻線に結合され得る。複数の共振回路４１４の各々は、同じまたは異なる共振周波数で動作するように構成され得る。例えば、第１の共振回路は、第２の高調波（例えば、基本周波数の２倍）における共振周波数を有するように構成され、その一方で別の共振回路は、第３の高調波（例えば、基本周波数の３倍）における共振周波数を有するように構成され得る。図１２Ａおよび１２Ｂは、２つの共振回路をインピーダンス整合回路４１０のインダクタ４０４と結合するための例示的なレイアウト構成を例示する。例えば、図１２Ａに例示されるように、第１の共振回路４１４Ａは、第２の共振回路４１４Ｂ内に配置され得る。２つの共振回路４１４Ａ、４１４Ｂは、ある特定の態様では同心（concentric）であり得る。第１の共振回路４１４Ａにおける誘電性材料４０８Ａは、第２の共振回路４１４Ｂにおける誘電性材料４０８Ｂと同じまたは異なり得る。さらに、第１の共振回路４１４Ａのインダクタ４０６Ａのギャップの寸法は、第２の共振回路４１４Ｂにおけるインダクタ４０６Ｂのギャップの寸法と同じまたは異なり得る。ある特定の例において、図１２Ｂに例示されるように、第１の共振回路４１４Ａは、第２の共振回路４１４Ｂに隣接して配置され得る。この方法で共振回路を配列する（すなわち、インピーダンス整合回路のインダクタ４０４内のオープンスペース内に）ことによって、１つ以上の共振回路が、集積回路上の任意の更なるエリア（すなわち、インピーダンス整合回路によって既に占有された空間以外の）を消費することなく追加され得る。
【００５１】
[0070]  図１３に例示されるように、スイッチ１３０２は、インダクタ４０６を形成する導電性リング内に介在し得る。スイッチ１３０２は、制御ライン１３０４上の制御信号に応答して開閉され得る。ある特定の態様において、制御ライン１３０４は、図２のコントローラ２３０または２８０のような、コントローラに接続され得る。スイッチ１３０２は、電流が共振回路４１４に流れることはないように開放され得る。よって共振回路は、非アクティブにされ、図７の変圧器７０４の巻線またはインピーダンス整合回路４１０のインダクタ４０４にもはや影響を及ぼすことはない。
【００５２】
[0071]  図１４に例示されるように、インダクタ４０４における信号の振幅がスイッチ１３０２の開閉を制御するように、スイッチ１３０２のための制御ライン１４０４は、第１のインダクタに接続される。ある特定の態様において、制御ラインは、図７の変圧器のような、変圧器の一次または二次巻線のいずれかに接続され得る。
【００５３】
[0072]  図１５は、本開示のある特定の態様に従って、集積インピーダンス整合およびフィルタリング回路を使用してフィルタリングするための例示的な動作１５００のフロー図である。動作１５００は、１５０２において、信号を増幅させる増幅器（例えば、電力増幅器３１６）から開始する。１５０４において、共振周波数を有する共振回路（例えば、共振回路４１４）は、増幅された信号をフィルタリングし得る。共振回路は、増幅器のためのインピーダンス整合回路（例えば、インピーダンス整合回路４１０）に磁気的に結合される。共振回路は、インピーダンス整合回路からの共振周波数の少なくとも一部分を少なくとも除去することによって増幅された信号をフィルタリングするように構成される。例えば、インピーダンス整合回路および共振回路は、上述したあらゆる方法で構成され得る。ある特定の態様従って、１５０４において増幅された信号をフィルタリングすることは、共振回路を介して共振周波数において増幅された信号からエネルギーを抽出することを伴う。
【００５４】
[0073]  ある特定の態様に従って、インピーダンス整合回路は、第１のインダクタ（例えば、インダクタ４０４）を含む。共振回路は、キャパシタ（例えば、キャパシタ４０８）および第１のインダクタに磁気的に結合された第２のインダクタ（例えば、インダクタ４０６）を含み得る。ある特定の態様では、第２のインダクタは、金属のオープンリングを含み、キャパシタは、金属のオープンリングの端部間に配置された誘電性材料を含み得る。
【００５５】
[0074]  ある特定の態様に従って、共振周波数は、増幅された信号の高調波周波数である。
【００５６】
[0075]  ある特定の態様に従って、動作１５００は、スイッチ（例えば、スイッチ１３０２）および／または共振回路を介して増幅された信号のフィルタリングの非アクティブ化（およびアクティブ化）を制御するコントローラ（例えば、コントローラ２３０または２８０）をさらに含む。ある特定の態様では、この非アクティブ化（およびアクティブ化）は、第１のインダクタにおける信号の振幅に基づいて制御され得る。
【００５７】
[0076]  上述されたさまざまな動作または方法は、対応する機能を実行することができる任意の適切な手段によって実行され得る。手段は、回路、特定用途向け集積回路（ＡＳＩＣ）、またはプロセッサを含むが、これらに限定されない、様々なハードウェアおよび／またはソフトウェアコンポーネント（複数を含む）および／またはモジュール（複数を含む）を含み得る。一般的に、動作が図中に示されている場合、それらの動作は、同様の参照番号を付した、対応する対照のミーンズプラスファンクションコンポーネントを有し得る。
【００５８】
[0077]  例えば、増幅させるための手段は、図３−４Ｂに例示されるような電力増幅器３１６を含み得る。インピーダンス整合するための手段は、図４に図示されるようなインピーダンス整合回路４１０を含み得る。フィルタリングするための手段は、図４に示されるような共振回路４１４を含み得る。（フィルタリングするための手段の）非アクティブ化を制御するための手段は、図１３に例示されるようなスイッチ１３０２および／または図２のコントローラ２３０または２８０のようなコントローラを含み得る。
【００５９】
[0078]  ここで使用される場合、項目のリスト「のうちの少なくとも１つ」という表現は、単一の構成要素（members）を含む、それらの項目の任意の組み合わせを指す。一例として、「ａ、ｂ、またはｃのうちの少なくとも１つ」は、ａ、ｂ、ｃ、ａ−ｂ、ａ−ｃ、ｂ−ｃ、ａ−ｂ−ｃ、およびそれらの任意の組み合わせ（例えば、ａ−ｂ−ｂおよびａ−ａ−ｂ−ｃ）をカバーするように意図される。
【００６０】
[0079]  本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、または本明細書で説明された機能を実行するように設計された、それらの任意の組み合わせを用いて、実現または実行され得る。汎用プロセッサは、マイクロプロセッサであり得るが、代替として、このプロセッサは、任意の商業的に利用可能なプロセッサ、コントローラ、マイクロコントローラ、またはステートマシン（state machine）であり得る。プロセッサはまた、コンピューティングデバイスの組み合わせ、例えば、ＤＳＰとマイクロプロセッサの組み合わせ、複数のマイクロプロセッサ、ＤＳＰコアと連携した１つ以上のマイクロプロセッサ、あるいは任意の他のそのような構成として実現され得る。
【００６１】
[0080]  ここに開示された方法は、説明された方法を達成するための１つ以上のステップまたは動作（action）を備える。方法のステップおよび／または動作は、特許請求の範囲から逸脱することなく互いに置き換えられ得る。言い換えれば、ステップまたは動作の特定の順序が明記されない限り、特定のステップおよび／または動作の順序および／または使用は、特許請求の範囲から逸脱することなく修正され得る。
【００６２】
[0081]  説明された機能は、ハードウェア、ソフトウェア、ファームウェア、またはそれらの任意の組み合わせで実現され得る。ハードウェアにおいて実現される場合、例示的なハードウェア構成は、ワイヤレスノードにおける処理システムを備え得る。処理システムは、バスアーキテクチャを用いて実現され得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、ネットワークアダプタをバスを介して処理システムに接続するために使用され得る。ネットワークアダプタは、物理（ＰＨＹ）層の信号処理機能を実現するために使用され得る。アクセス端末120（図１を参照）では、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、および同様なもののような様々な他の回路をリンクさせ得るが、それらは当該技術分野において周知であるため、これ以上は説明されない。
【００６３】
[0082]  処理システムは、プロセッサの機能を提供する１つ以上のマイクロプロセッサと、機械読取可能な媒体の少なくとも一部を提供する外部メモリとを有し、すべてが外部バスアーキテクチャを通して他のサポート回路と共にリンクされている、汎用処理システムとして構成され得る。あるいは、処理システムは、プロセッサ、バスインターフェース、アクセス端末のケースではユーザインターフェース、サポート回路、および単一チップに組み込まれた機械可読媒体の少なくとも一部を有するＡＳＩＣ（特定用途向け集積回路）で、または、１つ以上のＦＰＧＡ（フィールドプログラマブルゲートアレイ）、ＰＬＤ（プログラムマブル論理デバイス）、コントローラ、ステートマシン、ゲート論理、個別ハードウェアコンポーネント、または任意の他の適切な回路、または本開示の全体にわたって説明された様々な機能を実行することができる回路の任意の組み合わせで、実現され得る。当業者は、システム全体に課された特定の用途および全体的な設計の制約に依存して、処理システムについて説明された機能をどのように実現することが最善かを認識するだろう。
【００６４】
[0083]  特許請求の範囲は、上記に例示されたとおりの構成およびコンポーネントに限定されないことが理解されるべきである。様々な修正、変更、および変形は、特許請求の範囲から逸脱することなく、上述した方法および装置の配置、動作および詳細において行われ得る。
【図１】
2018509798.tif 000003
【図２】
2018509798.tif 000004
【図３】
2018509798.tif 000005
【図４Ａ】
2018509798.tif 000006
【図４Ｂ】
2018509798.tif 000007
【図５】
2018509798.tif 000008
【図６】
2018509798.tif 000009
【図７】
2018509798.tif 000010
【図８】
2018509798.tif 000011
【図９】
2018509798.tif 000012
【図１０】
2018509798.tif 000013
【図１１】
2018509798.tif 000014
【図１２Ａ】
2018509798.tif 000015
【図１２Ｂ】
2018509798.tif 000016
【図１３】
2018509798.tif 000017
【図１４】
2018509798.tif 000018
【図１５】
2018509798.tif 000019
【国際調査報告】
2018509798.tif 000020
2018509798.tif 000021
2018509798.tif 000022